(57)【特許請求の範囲】
【請求項１】
物品を一時的に滞留させると共に、前記物品を排出するホッパと、
前記ホッパを着脱可能に支持する支持体と、を備え、
前記ホッパは、
前記物品を滞留させる本体部と、
前記本体部の幅方向に沿って延びる延在部と、を有し、
前記支持体は、
前記延在部と係合する係合部と、
前記ホッパの取付けの際に前記係合部への前記延在部の移動を案内する案内面と、を有し、
前記ホッパは、その底部に設けられ開閉可能なゲートを有し、
前記支持体に前記ホッパを取り付ける際に前記ホッパが移動する方向であって水平方向に沿う方向を取付方向とした場合、前記ホッパが前記支持体に取り付けられた状態において、前記案内面は、開状態の前記ゲートに対して当該取付方向に沿う方向において接触しない、物品滞留装置。
【請求項２】
前記支持体に前記ホッパを取り付ける際に前記ホッパが移動する方向であって水平方向に沿う方向を取付方向とした場合、
前記案内面は、当該取付方向に行くに従って上るように傾斜する領域を有する、請求項１に記載の物品滞留装置。
【請求項３】
前記案内面における傾斜する領域の傾斜角度は、４５°以下である、請求項２に記載の物品滞留装置。
【請求項４】
前記案内面は、水平面に沿う領域を有する、請求項１〜３の何れか一項に記載の物品滞留装置。
【請求項５】
前記係合部は、前記案内面よりも高さが低い位置に設けられ前記延在部が収まる溝である、請求項１〜４の何れか一項に記載の物品滞留装置。
【請求項６】
前記支持体に前記ホッパを取り付ける際に前記ホッパが移動する方向であって水平方向に沿う方向を取付方向とした場合、
当該取付方向と直交する水平方向から見て、前記係合部としての前記溝は、前記案内面の当該取付方向における端辺に連なるように設けられている、請求項５に記載の物品滞留装置。
【請求項７】
前記支持体に前記ホッパを取り付ける際に前記ホッパが移動する方向であって水平方向に沿う方向を取付方向とした場合、
前記支持体は、前記案内面に対して当該取付方向とは反対方向側に設けられ、前記ホッパの取付けの際に前記延在部と当接可能な当接面を有する、請求項１〜６の何れか一項に記載の物品滞留装置。
【請求項８】
当該取付方向と直交する水平方向から見て、前記当接面は、前記案内面の当該取付方向とは反対方向における端辺に連なるように設けられ、当該端辺から下側へ向かって延びている、請求項７に記載の物品滞留装置。
【請求項９】
前記案内面と前記当接面とが交差する角度は、９０°以上１８０°未満である、請求項７又は８に記載の物品滞留装置。
【請求項１０】
前記支持体は、前記本体部の幅方向に互いに対向するように配置された一対の縦壁を有し、
前記案内面は、一対の前記縦壁を架け渡すように設けられ、
前記当接面は、一対の前記縦壁の間を塞ぐように設けられている、請求項７〜９の何れか一項に記載の物品滞留装置。
【請求項１１】
物品を滞留させる本体部と、前記本体部の幅方向に沿って延びる延在部と、を有するホッパを、着脱可能に支持する支持体であって、
前記ホッパの前記延在部と係合する係合部と、
前記ホッパの取付けの際に前記係合部への前記延在部の移動を案内する案内面と、を備え、
前記ホッパは、その底部に設けられ開閉可能なゲートを有し、
前記支持体に前記ホッパを取り付ける際に前記ホッパが移動する方向であって水平方向に沿う方向を取付方向とした場合、前記ホッパが前記支持体に取り付けられた状態において、前記案内面は、開状態の前記ゲートに対して当該取付方向に沿う方向において接触しない、支持体。
【発明の詳細な説明】
【技術分野】
【０００１】
本開示は、物品滞留装置及び支持体に関する。
【背景技術】
【０００２】
従来、物品を一時的に滞留させると共に物品を排出するホッパと、ホッパを着脱可能に支持する支持体と、を備えた物品滞留装置が知られている。例えば特許文献１には、組合せ計量機において、そのフレームに固定された支持体にプールホッパが取り付けられて支持された構成が記載されている。
【先行技術文献】
【特許文献】
【０００３】
【特許文献１】特開２０１３−２５０１９６号公報
【発明の概要】
【発明が解決しようとする課題】
【０００４】
上述したような物品滞留装置では、作業者は、ホッパを支持体に取り付ける際、ホッパと支持体との位置関係を定めにくく、位置決めの最中には、比較的重いホッパを支え続ける必要がある。このような実情に鑑み、近年、物品滞留装置では、ホッパを支持体に取り付ける際の作業性を向上させることが望まれる。【０００５】
そこで、本発明の一側面は、ホッパの取付けの作業性を向上させることが可能な物品滞留装置及び支持体を提供することを課題とする。
【課題を解決するための手段】
【０００６】
本発明の一側面に係る物品滞留装置は、物品を一時的に滞留させると共に、物品を排出するホッパと、ホッパを着脱可能に支持する支持体と、を備え、ホッパは、物品を滞留させる本体部と、本体部の幅方向に沿って延びる延在部と、を有し、支持体は、延在部と係合する係合部と、ホッパの取付けの際に係合部への延在部の移動を案内する案内面と、を有する。【０００７】
この物品滞留装置では、作業者は、ホッパを支持体に取り付ける際にホッパの延在部を支持体の係合部に係合させる場合に、当該延在部の移動を支持体の案内面によって案内することができる。よって、ホッパを支持体に容易に取り付けることができ、ホッパの取付けの作業性を向上させることが可能となる。【０００８】
一実施形態においては、支持体にホッパを取り付ける際にホッパが移動する方向であって水平方向に沿う方向を取付方向とした場合、案内面は、当該取付方向に行くに従って上るように傾斜する領域を有していてもよい。この場合、ホッパを支持体に取り付ける際、案内面に延在部を載せることで、ホッパの重量の少なくとも一部を案内面で支えることができる。そしてこの状態において、ホッパを取付方向に押し込むことで、案内面を上るように延在部を摺動させて、延在部の移動を案内することができる。【０００９】
一実施形態においては、案内面における傾斜する領域の傾斜角度は、４５°以下であってもよい。これにより、案内面が当該取付方向に行くに従って上るように傾斜することによる上述した作用効果を、効果的に発揮することができる。【００１０】
一実施形態においては、案内面は、水平面に沿う領域を有していてもよい。この場合、ホッパを支持体に取り付ける際、案内面に延在部を載せることで、ホッパの重量の少なくとも一部を案内面で効果的に支えることができる。【００１１】
一実施形態においては、係合部は、案内面よりも高さが低い位置に設けられ延在部が収まる溝であってもよい。この場合、ホッパを支持体に取り付ける際、案内面上の延在部が係合部へ落ち入るようにホッパを落下させて、延在部と係合部とを係合させることができる。【００１２】
一実施形態においては、支持体にホッパを取り付ける際にホッパが移動する方向であって水平方向に沿う方向を取付方向とした場合、当該取付方向と直交する水平方向から見て、係合部としての溝は、案内面の当該取付方向における端辺に連なるように設けられていてもよい。この場合、ホッパを支持体に取り付ける際、ホッパを取付方向に押し込むことで、案内面上の延在部が係合部へ落ち入るようにホッパを落下させることが可能となる。【００１３】
一実施形態においては、支持体にホッパを取り付ける際にホッパが移動する方向であって水平方向に沿う方向を取付方向とした場合、支持体は、案内面に対して当該取付方向とは反対方向側に設けられ、ホッパの取付けの際に延在部と当接可能な当接面を有していてもよい。これにより、ホッパを支持体に取り付ける際、当接面に延在部を当てることで、延在部ひいてはホッパの位置を規制することができる。【００１４】
一実施形態においては、当該取付方向と直交する水平方向から見て、当接面は、案内面の当該取付方向とは反対方向における端辺に連なるように設けられ、当該端辺から下側へ向かって延びていてもよい。これにより、ホッパを支持体に取り付ける際、延在部が当接面に当った場合でもホッパを適宜にずらすことで、当該延在部をスムーズに案内面上に至らせることができる。【００１５】
一実施形態においては、案内面と当接面とが交差する角度は、９０°以上１８０°未満であってもよい。これにより、案内面及び当接面の上述した作用を効果的に発揮することができる。【００１６】
一実施形態においては、支持体は、本体部の幅方向に互いに対向するように配置された一対の縦壁を有し、案内面は、一対の縦壁を架け渡すように設けられ、当接面は、一対の縦壁の間を塞ぐように設けられていてもよい。これにより、ホッパを支持体に取り付ける際、ホッパの一部が支持体の一対の縦壁の間に入り込むことを抑制できる。【００１７】
一実施形態においては、ホッパは、その底部に設けられ開閉可能なゲートを有し、支持体にホッパを取り付ける際にホッパが移動する方向であって水平方向に沿う方向を取付方向とした場合、案内面は、開状態のゲートに対して当該取付方向に沿う方向において離間するように設けられていてもよい。これにより、案内面の存在によってホッパのゲートの開閉に悪影響が及ぶことを防止できる。【００１８】
本発明の一側面に係る支持体は、物品を滞留させる本体部と、本体部の幅方向に沿って延びる延在部と、を有するホッパを、着脱可能に支持する支持体であって、ホッパの延在部と係合する係合部と、ホッパの取付けの際に係合部への延在部の移動を案内する案内面と、を備える。【００１９】
この支持体においても、ホッパを取り付ける際にホッパの延在部を係合部に係合させる場合に、延在部の移動を案内面によって案内することができる。よって、ホッパを支持体に容易に取り付けることができ、ホッパの取付けの作業性を向上させることが可能となる。
【発明の効果】
【００２０】
本発明の一側面によれば、ホッパの取付けの作業性を向上させることが可能な物品滞留装置及び支持体を提供することが可能となる。
【図面の簡単な説明】
【００２１】
【図１】図１は、実施形態に係る物品滞留装置を備えた組合せ計量装置を示す構成図である。
【図２】図２は、図１の物品滞留装置を示す側面図である。
【図３】図３は、図２の支持体を示す斜視図である。
【図４】図４は、図２の物品滞留装置においてホッパを支持体に取り付ける場合を説明する斜視図である。
【図５】図５は、図２の物品滞留装置においてホッパを支持体に取り付ける場合を説明する側面図である。
【図６】図６は、図５の続きを説明する側面図である。
【図７】図７は、図６の続きを説明する側面図である。
【図８】図８は、図７の続きを説明する側面図である。
【図９】図９は、図２の物品滞留装置においてホッパのゲートが開いた状態を示す側面図である。
【図１０】図１０は、変形例に係る係合部を示す側面図である。
【図１１】図１１は、他の変形例に係る支持体を示す斜視図である。
【発明を実施するための形態】
【００２２】
以下、実施形態について、図面を参照して詳細に説明する。各図において同一又は相当部分には同一符号を付し、重複する説明を省略する。「上」、「下」の語は、鉛直方向の上下方向に対応する。
【００２３】
［組合せ計量装置の構成］
図１に示されるように、組合せ計量装置１は、投入シュート２と、分散フィーダ３と、複数の放射フィーダ４と、複数のプールホッパ（ホッパ）５と、それぞれが計量ホッパ１１を有する複数の計量装置１０と、集合シュート６と、タイミングホッパ７と、制御部８と、を備える。組合せ計量装置１は、搬送コンベア５０によって供給される物品Ａ（農産物、水産物、加工食品等のように、単体質量にばらつきのある物品）を目標計量値となるように計量して製袋包装機６０に供給する。なお、製袋包装機６０は、フィルムを所定容量の袋に成形しつつ、組合せ計量装置１によって計量されて供給された物品Ａを袋詰めする装置である。
【００２４】
投入シュート２は、搬送コンベア５０の搬送端５０ａの下方に配置される。投入シュート２は、外部から搬送コンベア５０によって搬送されて搬送コンベア５０の搬送端５０ａから落下した物品Ａを受けて下方に排出する。
【００２５】
分散フィーダ３は、投入シュート２の下方に配置される。分散フィーダ３は、下方に向かって末広がりの円錐状の搬送面３ａを有する。分散フィーダ３は、搬送面３ａを振動させることで、投入シュート２から搬送面３ａの頂部に排出された物品Ａを搬送面３ａの外縁に向かって均一に搬送する。
【００２６】
複数の放射フィーダ４は、分散フィーダ３の搬送面３ａの外縁に沿って放射状に配置される。各放射フィーダ４は、搬送面３ａの外縁の下方から外側に延在するトラフ４ａを有する。各放射フィーダ４は、トラフ４ａを振動させることで、搬送面３ａの外縁から排出された物品Ａをトラフ４ａの先端部に向かって搬送する。
【００２７】
複数のプールホッパ５は、それぞれが各放射フィーダ４のトラフ４ａの先端部の下方に位置するように、環状に配置される。各プールホッパ５は、その底部に対して開閉可能なゲート５ａを有する。各プールホッパ５は、ゲート５ａを閉じることで、対応するトラフ４ａの先端部から排出された物品Ａを一時的に貯留する。各プールホッパ５は、ゲート５ａを開くことで、一時的に貯留した物品Ａを下方に排出する。
【００２８】
複数の計量ホッパ１１は、それぞれが各プールホッパ５のゲート５ａの下方に位置するように、環状に配置される。各計量ホッパ１１は、その底部に対して開閉可能なゲート１１ａを有する。各計量ホッパ１１は、ゲート１１ａを閉じることで、対応するプールホッパ５から排出された物品Ａを一時的に貯留する。各計量ホッパ１１は、ゲート１１ａを開くことで、一時的に貯留した物品Ａを下方に排出する。各計量装置１０は、それぞれが有する計量ホッパ１１が物品Ａを一時的に貯留した際に、当該物品Ａの質量に応じた計量値を計量する。
【００２９】
集合シュート６は、複数の上段シュート部６１と、下段シュート部６２と、を有する。複数の上段シュート部６１は、各計量ホッパ１１のゲート１１ａの下方に各上段シュート部６１の上端部が位置し且つ各上段シュート部６１の下端部が中央部に集合するように、環状に配置される。各上段シュート部６１は、各計量ホッパ１１から排出された物品Ａを受けて当該物品Ａを中央部に向かって滑走させる。下段シュート部６２は、各上段シュート部６１の下端部の下方に配置される。下段シュート部６２は、各上段シュート部６１から排出された物品Ａを排出口６ａから下方に排出する。
【００３０】
タイミングホッパ７は、集合シュート６の排出口６ａの下方に配置される。タイミングホッパ７は、その底部に対して開閉可能なゲート７ａを有する。タイミングホッパ７は、ゲート７ａを閉じることで、集合シュート６から排出された物品Ａを一時的に貯留し、ゲート７ａを開くことで、一時的に貯留した物品Ａを製袋包装機６０に排出する。
【００３１】
制御部８は、フレーム３１に支持されたケース３２内に配置される。制御部８は、ＣＰＵ、ＲＯＭ、ＲＡＭ等を有する。制御部８は、分散フィーダ３及び放射フィーダ４の搬送動作、各プールホッパ５のゲート５ａの開閉動作、各計量ホッパ１１のゲート１１ａの開閉動作、並びにタイミングホッパ７のゲート７ａの開閉動作等、組合せ計量装置１の各部の動作を制御する。制御部８は、各計量装置１０から出力された物品Ａの計量値（すなわち、各計量装置１０が有する計量ホッパ１１が一時的に貯留した物品Ａの計量値）に基づいて、合計値が目標計量値となるように（具体的には、目標計量値を下限値とする所定範囲内に合計値が収まるように）計量値の組合せを選択し、当該組合せに対応する計量ホッパ１１から物品Ａを排出させる。
【００３２】
組合せ計量装置１において、投入シュート２、分散フィーダ３、複数の放射フィーダ４、複数のプールホッパ５及び複数の計量装置１０は、ケース３２に直接的に又は間接的に支持される。集合シュート６及びタイミングホッパ７は、フレーム３１に直接的に又は間接的に支持される。組合せ計量装置１は、複数の物品滞留装置１００を備える。
【００３３】
［物品滞留装置の構成］
次に、物品滞留装置１００について説明する。図２、図５〜９では、プールホッパ５（取付部５２）の一部を断面化して示している。
【００３４】
各物品滞留装置１００のそれぞれは、プールホッパ５及び支持体１１０を含んで構成されている。図２及び図４に示されるように、プールホッパ５は、本体部５１、取付部５２及びゲート５ａを有する。本体部５１は、上方に開口するカップ状を呈する。本体部５１は、内部に物品Ａを滞留させる部位である。取付部５２は、本体部５１を支持体１１０に取り付ける部位である。取付部５２は、一対のホッパ縦壁５３と、第１軸体５４と、第２軸体５５と、を含む。
【００３５】
一対のホッパ縦壁５３は、本体部５１の後方である取付方向（以下、単に「取付方向」ともいう）側に設けられている。取付方向は、支持体１１０にプールホッパ５を取り付ける際にプールホッパ５が支持体１１０に対して移動する方向であって、水平方向に沿う方向である。取付方向は、環状に配置された複数のプールホッパ５の当該環状の径方向内側である。一対のホッパ縦壁５３は、幅方向を厚さ方向とする板状を呈する。一対のホッパ縦壁５３は、幅方向に互いに対向するように配置されている。一対のホッパ縦壁５３は、本体部５１に固定されている。一対のホッパ縦壁５３は、本体部５１の取付方向側の外壁５１ａから、下方へ向けて曲がるように延びる。
【００３６】
第１軸体５４は、本体部５１の幅方向（図４参照、以下、単に「幅方向」ともいう）に延びる部材である。第１軸体５４は、延在部を構成する。第１軸体５４は、一対のホッパ縦壁５３の間に設けられている。第１軸体５４は、一対のホッパ縦壁５３と直交する。第１軸体５４は、丸軸である。第１軸体５４は、第２軸体５５よりも上方に設けられている。第１軸体５４は、後述の係合部１１３と係合する機能及び取付部５２の剛性を高める機能を有する。
【００３７】
第２軸体５５は、幅方向に延びる部材である。第２軸体５５は、一対のホッパ縦壁５３の間に設けられている。第２軸体５５は、一対のホッパ縦壁５３と直交する。第２軸体５５は、丸軸である。第２軸体５５は、第１軸体５４よりも下方であって一対のホッパ縦壁５３の下端部に設けられている。第２軸体５５は、取付部５２の剛性を高める機能を有する。
【００３８】
ゲート５ａは、本体部５１の底部に開閉可能に設けられている。ゲート５ａは、閉じることで本体部５１に物品Ａを滞留可能とする一方、開くことで当該物品Ａを外部へ落下可能（排出可能）とする。ゲート５ａは、当該ゲート５ａを開閉駆動するための駆動部（不図示）にリンク５７を介して連結されている。
【００３９】
図２及び図３に示されるように、支持体１１０は、プールホッパ５を着脱可能に支持する。支持体１１０は、所望形状に成形して成る板状構造物（板金加工品）である。支持体１１０は、一対の支持体縦壁（縦壁）１１１、案内面１１２、係合部１１３、当接面１１４、位置決め用凸部１１５、及びカバー面１１６を有する。
【００４０】
一対の支持体縦壁１１１は、幅方向に互いに対向するように配置されている。一対の支持体縦壁１１１は、その下端側が、例えばボルト等によってケース３２（図１参照）のカバーＣに固定されている。一対の支持体縦壁１１１は、幅方向を厚さ方向とする板状を呈する。
【００４１】
案内面１１２は、プールホッパ５の取付けの際に係合部１１３への第１軸体５４の移動を案内する面である。案内面１１２は、一対の支持体縦壁１１１の上端を架け渡すように設けられている。案内面１１２は、一対の支持体縦壁１１１の上端に連続する上壁の上面により構成されている。案内面１１２は、取付方向に行くに従って上るように傾斜する。案内面１１２の傾斜角度（水平面と成す角度）は、４５°以下である。例えば案内面１１２は、その傾斜角度が４０°の緩斜面である。案内面１１２は、平面である。案内面１１２は、プールホッパ５が支持体１１０に取り付けられて支持されている状態において、プールホッパ５の開状態のゲート５ａに対して取付方向に沿う方向に離間するように設けられている（図９参照）。
【００４２】
係合部１１３は、第１軸体５４と係合する。係合部１１３は、支持体縦壁１１１の上部に設けられている。係合部１１３は、第１軸体５４が収まる溝である。係合部１１３は、上方へ開口するＵ字状の切り欠き（Ｕ字溝）である。係合部１１３は、案内面１１２よりも高さが低い位置に設けられている。係合部１１３は、案内面１１２よりも取付方向側（後側）に設けられている。具体的には、係合部１１３は、取付方向と直交する水平方向である幅方向から見て、案内面１１２の取付方向における端辺に連なるように設けられている。
【００４３】
当接面１１４は、プールホッパ５の取付けの際に、プールホッパ５の第１軸体５４と当接可能な面である。当接面１１４は、案内面１１２に対して、プールホッパ５の取付方向とは反対方向側に設けられている。当接面１１４は、一対の支持体縦壁１１１の間を塞ぐように設けられている。当接面１１４の幅方向の寸法は、一対の支持体縦壁１１１の間の寸法よりも大きく、且つ、一対のホッパ縦壁５３の間の寸法よりも小さい。
【００４４】
当接面１１４は、案内面１１２の取付方向とは反対方向における端辺に連なるように設けられている。当接面１１４は、案内面１１２の取付方向とは反対方向における端辺から下側へ向かって延びている。当接面１１４は、案内面１１２を構成する上壁の前方（取付方向とは反対方向）に垂下された前壁の前面により構成されている。案内面１１２と当接面１１４とが交差する角度は、９０°以上１８０°未満である。例えば案内面１１２と当接面１１４とが交差する角度は、１３０°である。当接面１１４は、取付方向に垂直な垂直面である。当接面１１４は、平面である。
【００４５】
位置決め用凸部１１５は、一対の支持体縦壁１１１それぞれの上下方向の中央部に設けられている。位置決め用凸部１１５は、幅方向の外側に突出するように設けられている。位置決め用凸部１１５は、幅方向を軸方向とする円柱状を呈する。位置決め用凸部１１５は、プールホッパ５のホッパ縦壁５３における第１軸体５４と第２軸体５５との間に当接して、プールホッパ５を位置決め（姿勢決め）する。
【００４６】
カバー面１１６は、プールホッパ５を支持体１１０に取付ける際、ゲート５ａを開閉する駆動部(不図示)へのリンク５７の係合を案内する機能を有する。カバー面１１６は、取付方向に対して直交する垂直面と、垂直面の上片に連なるように設けられ取付方向に行くに従って水平面に対して上るように傾斜する傾斜面と、を含む。カバー面１１６は、一方の支持体縦壁１１１に接続されている。カバー面１１６は、一対の支持体縦壁１１１に対して幅方向の外側に離間して配置されている。一方の支持体縦壁１１１とカバー面１１６との間には、ホッパ縦壁５３が進入される。
【００４７】
［作用及び効果］
図５、図６及び図７に示されるように、支持体１１０にプールホッパ５を着脱可能に取り付ける際には、作業者は、まず、プールホッパ５の一対のホッパ縦壁５３の間に支持体１１０の一対の支持体縦壁１１１が配置されるように、プールホッパ５を位置決めする。この位置決めは、例えば、プールホッパ５の第１軸体５４を支持体１１０の当接面１１４に当てつつ、プールホッパ５を幅方向に適宜ずらすことで、実現してもよい。これと共に、支持体１１０の案内面１１２に、プールホッパ５の第１軸体５４を載せることで、プールホッパ５の重量を支持体１１０に負担させる。
【００４８】
この状態において、プールホッパ５を後側（取付方向側）に押し付けることで、案内面１１２を上るように第１軸体５４を摺動させる。これにより、プールホッパ５は、案内面１１２に沿って、後方及び上方に向かって移動する。図８に示されるように、第１軸体５４の当該摺動の最後には、第１軸体５４が案内面１１２の後側から係合部１１３に落ち入り、第１軸体５４が係合部１１３に係合される。そして、図２に示されるように、支持体１１０の位置決め用凸部１１５をプールホッパ５の一対のホッパ縦壁５３に当接させ、プールホッパ５を規定位置へ位置決めする。以上により、支持体１１０へのプールホッパ５の取付けが完了する。
【００４９】
以上、物品滞留装置１００では、作業者は、プールホッパ５を支持体１１０に取り付ける際にプールホッパ５の第１軸体５４を支持体１１０の係合部１１３に係合させる場合に、当該第１軸体５４の移動を支持体１１０の案内面１１２によって案内することができる。これにより、プールホッパ５を支持体１１０に容易に取り付けることができ、プールホッパ５の取付けの作業性を向上させることが可能となる。プールホッパ５の取付け時の利便性を高めることができる。プールホッパ５の取付け時の上下方向及び幅方向の許容範囲が広くなり、感覚的な取り付けが可能となる。また、位置決めしている間にプールホッパ５の重量を支える負担が低減する。プールホッパ５の取付けの簡易化を実現できる。
【００５０】
プールホッパ５の取付けの際、取付部５２はプールホッパ５の後側に位置しており、前側に立つ作業者からは、取付部５２の第１軸体５４の位置及び支持体１１０の係合部１１３の位置等は、プールホッパ５に隠れて見えない。このため、作業者は、プールホッパ５を上下方向及び幅方向にずらしながら手探りで取付けを行う必要がある。このことから、プールホッパ５の取付けの作業性を向上させた上記効果は、顕著である。
【００５１】
物品滞留装置１００では、案内面１１２は、取付方向に行くに従って上るように傾斜する。これにより、プールホッパ５を支持体１１０に取り付ける際、案内面１１２に第１軸体５４を載せることで、プールホッパ５の重量の少なくとも一部を案内面１１２で支えることができる。そしてこの状態において、プールホッパ５を取付方向に押し込むことで、案内面１１２を上るように第１軸体５４を摺動させて、第１軸体５４の移動を案内することができる。
【００５２】
なお、プールホッパ５を支持体１１０に取り付ける際、プールホッパ５の上流側の部品又は機構との関係からプールホッパ５を位置させ得る高さには制限があるところ、このように案内面１１２が傾斜していると、プールホッパ５を高い位置に位置させずに取り付けることが容易になる。また、案内面１１２の存在により、第１軸体５４の上下方向の位置ズレの許容範囲が広くなる。
【００５３】
物品滞留装置１００では、案内面１１２の傾斜角度は、４５°以下である。これにより、案内面１１２が取付方向に行くに従って上るように傾斜することによる上述した作用を、効果的に発揮することができる。
【００５４】
物品滞留装置１００では、係合部１１３は、案内面１１２よりも高さが低い位置に設けられ第１軸体５４が収まる溝である。この場合、プールホッパ５を支持体１１０に取り付ける際、案内面１１２上の第１軸体５４が係合部１１３へ落ち入るようにプールホッパ５を案内面１１２から落下させて、第１軸体５４と係合部１１３とを係合させることができる。
【００５５】
物品滞留装置１００では、幅方向から見て、係合部１１３としての溝は、案内面１１２の取付方向の端辺に連なるように設けられている。これにより、プールホッパ５を支持体１１０に取り付ける際、プールホッパ５を取付方向に押し込むことで、案内面１１２上の第１軸体５４が係合部１１３へ落ち入るようにプールホッパ５を落下させることが可能となる。
【００５６】
物品滞留装置１００では、支持体１１０は、当接面１１４を有する。これにより、プールホッパ５を支持体１１０に取り付ける際、当接面１１４に第１軸体５４を当てることで、第１軸体５４ひいてはプールホッパ５の位置を規制することができる。また、例えば、当接面１１４に第１軸体５４を当てつつプールホッパ５を幅方向に適宜ずらすことで、プールホッパ５を幅方向において位置決めすることが可能となる。
【００５７】
物品滞留装置１００では、幅方向から見て、当接面１１４は、案内面１１２の前側の端辺に連なるように設けられ、当該端辺から下側へ向かって延びる。これにより、プールホッパ５を支持体１１０に取り付ける際には、第１軸体５４が当接面１１４に当った場合でもプールホッパ５を適宜に上方へずらすことで、当該第１軸体５４をスムーズに案内面１１２上に至らせることができる。
【００５８】
物品滞留装置１００では、案内面１１２と当接面１１４とが交差する角度は、９０°以上１８０°未満である。これにより、案内面１１２及び当接面１１４の上述した作用効果を効果的に発揮することができる。
【００５９】
物品滞留装置１００では、当接面１１４は、一対の支持体縦壁１１１の間を塞ぐように設けられている。これにより、プールホッパ５を支持体１１０に取り付ける際、プールホッパ５の一部（ホッパ縦壁５３）が支持体１１０の一対の支持体縦壁１１１の間に入り込むことを抑制することが可能となる。
【００６０】
物品滞留装置１００では、プールホッパ５はゲート５ａを有する。案内面１１２は、開状態のゲート５ａに対して取付方向に沿う方向において離間するように設けられている。これにより、案内面１１２の存在によってプールホッパ５のゲート５ａの開閉に悪影響が及ぶことを防止できる。
【００６１】
支持体１１０においても、プールホッパ５を取り付ける際に、第１軸体５４の移動を案内面１１２によって案内することができる。よって、プールホッパ５を支持体１１０に容易に取り付けることができ、プールホッパ５の取付けの作業性を向上させる等の上述した作用効果を奏する。
【００６２】
［変形例］
上記実施形態では、係合部１１３をＵ字溝で構成したが、係合部１１３の態様は特に限定されない。例えば、図１０に示されるように、係合部１１３は、幅方向から見て、二つの辺縁（二辺）から成る隅部で構成してもよい。この場合、第１軸体５４は、隅部の二辺と当接するようにして係合する。
【００６３】
上記実施形態では、案内面１１２の全域が取付方向に行くに従って上るように傾斜しているが、案内面１１２の一部が、取付方向に行くに従って上るように傾斜していてもよい。つまり、案内面１１２は、取付方向に行くに従って上るように傾斜する領域を有していればよい。上記実施形態では、案内面１１２は、水平面に沿う領域を有していてもよい。この場合、プールホッパ５を支持体１１０に取り付ける際、案内面１１２に第１軸体５４を載せることで、プールホッパ５の重量の少なくとも一部を案内面１１２で効果的に支えることができる。上記実施形態では、案内面１１２は、取付方向に行くに従って下るように傾斜する領域を有していてもよい。すなわち、案内面１１２は、取付方向に行くに従って上るように傾斜する領域、水平面に沿う領域、及び、取付方向に行くに従って下るように傾斜する領域の少なくとも何れかの領域を有していればよい。
【００６４】
上記実施形態では、案内面１１２は、平面であってもよいし、曲面であってもよいし、平面及び曲面を組合せた面であってもよい。上記実施形態では、プールホッパ５を支持体１１０の支持対象としたが、支持対象としてのホッパは特に限定されない。例えば計量ホッパ１１を支持対象としてもよい。
【００６５】
上記実施形態では、計量ホッパ１１に物品Ａを搬送する搬送部は、分散フィーダ３及び複数の放射フィーダ４に限定されず、他の構成を有するものであってもよい。上記実施形態では、複数のプールホッパ５がマトリックス状に配置されていてもよい。
【００６６】
上記実施形態では、カラー又はベアリング等の円筒体を、第１軸体５４に外挿（つまり、第１軸体５４が当該円筒体に挿入されるように）して取り付けてもよい。これにより、第１軸体５４を案内面１１２に沿って移動させる際の摩擦力を少なくすることができる。案内面１１２の傾斜角度が４５°よりも大きくても、取付けの力（プールホッパ５を取付方向に押し込む力等）をさほど必要とすることなく、プールホッパ５の取付けを実現することができる。この場合、当該円筒体は、取付けの力を低減する手段を構成する。
【００６７】
上記実施形態では、支持体１１０が当接面１１４（図３参照）を有しているが、これに限定されず、例えば図１１に示される支持体５１０のように、当接面１１４は無くてもよい。この場合、プールホッパ５の第１軸体５４を当接面１１４に当てるのに代えて、プールホッパ５の第１軸体５４を支持体縦壁１１１の厚み部分（前側の側面１１１ａ）に当てることができる。このような当接面１４４を有さない支持体５１０では、当接面１４４の裏側に汚れが付着することがないため、清掃性の観点で有利である。
【００６８】
以上、実施形態及び変形例について説明したが、本開示は、上記実施形態及び上記変形例に限定されない。例えば、各構成の材料及び形状には、上述の材料及び形状に限らず、様々な材料及び形状を採用することができる。本開示は、各請求項に記載した要旨を変更しない範囲で変形してもよい。上記実施形態及び上記変形例を適宜組み合わせてもよい。上記実施形態及び上記変形例の少なくとも一部を任意に組み合わせてもよい。
【符号の説明】
【００６９】
５…プールホッパ（ホッパ）、５ａ…ゲート、５１…本体部、１００…物品滞留装置、１１０，５１０…支持体、１１１…支持体縦壁（縦壁）、１１２…案内面、１１３…係合部、１１４…当接面、Ａ…物品。
【図１】
0006982923.tif 000002
【図２】
0006982923.tif 000003
【図３】
0006982923.tif 000004
【図４】
0006982923.tif 000005
【図５】
0006982923.tif 000006
【図６】
0006982923.tif 000007
【図７】
0006982923.tif 000008
【図８】
0006982923.tif 000009
【図９】
0006982923.tif 000010
【図１０】
0006982923.tif 000011
【図１１】
0006982923.tif 000012